(57)【要約】【課題】フロントシリンダとリアシリンダとの間で、ミドルプレートを介して熱が伝達されるのを抑える。【解決手段】ミドルプレート（50）は、厚み方向に分割された第１及び第２の分割プレート（60,65）を有する。第２の分割プレート（65）の分割面には、その一部が窪んだ凹部（68）が形成されている。凹部（68）は、ミドルプレート（50）の中央孔（51）に沿って、全周にわたって形成されている。第１及び第２の分割プレート（60,65）の分割面同士を重ね合わせることで、ミドルプレート（50）の内部には、凹部（68）によって形成された断熱空間が設けられる。【選択図】図５
2019011748.tif 000002
【特許請求の範囲】
【請求項１】
フロントヘッド（20）、フロントシリンダ（30）、ミドルプレート（50）、リアシリンダ（35）、及びリアヘッド（25）が積み重ねられ、該フロントシリンダ（30）及び該リアシリンダ（35）の内部にフロントピストン（40）及びリアピストン（45）がそれぞれ偏心回転可能に収容されることで２つの圧縮室（34,39）を有する圧縮機構（15）を備えた回転式圧縮機であって、
前記ミドルプレート（50）は、厚み方向に分割された第１及び第２の分割プレート（60,65）を有し、
前記第１及び第２の分割プレート（60,65）の少なくとも一方の分割面には、その一部が窪んだ凹部（68）が形成されていることを特徴とする回転式圧縮機。
【請求項２】
請求項１において、
前記凹部（68）は、前記圧縮機構（15）の駆動軸（70）が挿通される該ミドルプレート（50）の中央孔（51）に沿って、全周にわたって形成されていることを特徴とする回転式圧縮機。
【発明の詳細な説明】
【技術分野】
【０００１】
本発明は、回転式圧縮機に関するものである。
【背景技術】
【０００２】
従来より、ロータリ圧縮機は、冷凍装置の圧縮機等として広く用いられている。このロータリ圧縮機としては、ローリングピストン型のロータリ圧縮機や、揺動ピストン型のロータリ圧縮機が知られている。
【０００３】
特許文献１には、シリンダとピストンを二組備えた二気筒のロータリ圧縮機が開示されている。一般に、二気筒のロータリ圧縮機では、圧縮室を形成するために、二つのシリンダの間にミドルプレートが配置される。
【先行技術文献】
【特許文献】
【０００４】
【特許文献１】特開２０１６−９６６号公報
【発明の概要】
【発明が解決しようとする課題】
【０００５】
ところで、このような二気筒のロータリ圧縮機では、二つのシリンダの圧縮室の間で温度差が生じていると、一方のシリンダの圧縮室内の熱が、ミドルプレートを介して他方のシリンダの圧縮室内に伝達されるおそれがある。その結果、伝達された熱によって吸入側の冷媒が加熱されてしまい、圧縮効率が低下するという問題がある。
【０００６】
本発明は、かかる点に鑑みてなされたものであり、その目的は、フロントシリンダとリアシリンダとの間で、ミドルプレートを介して熱が伝達されるのを抑えることにある。
【課題を解決するための手段】
【０００７】
本発明は、フロントヘッド（20）、フロントシリンダ（30）、ミドルプレート（50）、リアシリンダ（35）、及びリアヘッド（25）が積み重ねられ、該フロントシリンダ（30）及び該リアシリンダ（35）の内部にフロントピストン（40）及びリアピストン（45）がそれぞれ偏心回転可能に収容されることで２つの圧縮室（34,39）を有する圧縮機構（15）を備えた回転式圧縮機を対象とし、次のような解決手段を講じた。
【０００８】
すなわち、第１の発明は、前記ミドルプレート（50）は、厚み方向に分割された第１及び第２の分割プレート（60,65）を有し、
前記第１及び第２の分割プレート（60,65）の少なくとも一方の分割面には、その一部が窪んだ凹部（68）が形成されていることを特徴とするものである。
【０００９】
第１の発明では、厚み方向に分割された第１及び第２の分割プレート（60,65）の少なくとも一方の分割面に凹部（68）が形成されている。そして、第１及び第２の分割プレート（60,65）の分割面同士を重ね合わせることで、ミドルプレート（50）の内部には、凹部（68）によって形成された閉じた空間、つまり、熱の伝達を遮断するための断熱空間が設けられる。
【００１０】
このように、ミドルプレート（50）を第１及び第２の分割プレート（60,65）に分割した構成とすることで、その分割面に、エンドミル等を用いて凹部（68）を容易に形成することができる。つまり、ミドルプレート（50）の内部に断熱空間を設けるという、１枚のミドルプレート（50）の場合には困難であった加工を容易に行うことができる。
【００１１】
そして、ミドルプレート（50）の内部に、凹部（68）によって形成される断熱空間を設けたことで、フロントシリンダ（30）及びリアシリンダ（35）の一方の圧縮室（34,39）からミドルプレート（50）を介して他方の圧縮室（34,39）に伝達される熱を、ミドルプレート（50）の内部の凹部（68）で断熱して減らすことができ、吸入側の冷媒が加熱されるのを抑えて圧縮効率の向上を図ることができる。
【００１２】
第２の発明は、第１の発明において、
前記凹部（68）は、前記圧縮機構（15）の駆動軸（70）が挿通される該ミドルプレート（50）の中央孔（51）に沿って、全周にわたって形成されていることを特徴とするものである。
【００１３】
第２の発明では、ミドルプレート（50）の中央孔（51）に沿って、全周にわたって凹部（68）が形成されているから、凹部（68）によって形成される断熱空間の面積を大きくすることができる。
【００１４】
また、軸方向から見て、フロントシリンダ（30）やリアシリンダ（35）の圧縮室（34,39）全体に重なり合うような大きさで凹部（68）を形成すれば、フロントシリンダ（30）とリアシリンダ（35）との間で行われる熱の伝達を、より効果的に抑えることができる。
【発明の効果】
【００１５】
本発明によれば、フロントシリンダ（30）とリアシリンダ（35）との間で、ミドルプレート（50）を介して熱が伝達されるのを抑えることができる。
【図面の簡単な説明】
【００１６】
【図１】本実施形態に係るロータリ圧縮機の構成を示す縦断面図である。
【図２】フロント側の圧縮機構の構成を示す横断面図である。
【図３】リア側の圧縮機構の構成を示す横断面図である。
【図４】第１及び第２の分割プレートの構成を示す斜視図である。
【図５】ミドルプレートの構成を示す断面図である。
【図６】本変形例に係るミドルプレートの構成を示す断面図である。
【発明を実施するための形態】
【００１７】
以下、本発明の実施形態を図面に基づいて説明する。なお、以下の好ましい実施形態の説明は、本質的に例示に過ぎず、本発明、その適用物或いはその用途を制限することを意図するものではない。
【００１８】
−圧縮機の全体構成−
図１に示すように、本実施形態の圧縮機は、全密閉型のロータリ圧縮機（1）である。ロータリ圧縮機（1）では、圧縮機構（15）と電動機（10）とがケーシング（2）に収容されている。ロータリ圧縮機（1）は、蒸気圧縮式の冷凍サイクルを行う冷媒回路に設けられ、蒸発器で蒸発した冷媒を吸入して圧縮する。
【００１９】
ケーシング（2）は、起立した状態の円筒状の密閉容器である。ケーシング（2）は、円筒状の胴部（3）と、胴部（3）の端部を閉塞する一対の鏡板（4,5）とを備えている。胴部（3）の下部には、吸入管（7,8）が取り付けられる。上側の鏡板（4）には、吐出管（6）が取り付けられる。
【００２０】
電動機（10）は、ケーシング（2）の内部空間の上部に配置されている。配置されている。電動機（10）は、固定子（11）と回転子（12）とを備えている。固定子（11）は、ケーシング（2）の胴部（3）に固定されている。回転子（12）は、後述する圧縮機構（15）の駆動軸（70）に取り付けられている。
【００２１】
圧縮機構（15）は、いわゆる揺動ピストン型のロータリ式流体機械である。ケーシング（2）の内部空間において、圧縮機構（15）は、電動機（10）の下方に配置されている。
【００２２】
−圧縮機構−
圧縮機構（15）は、二気筒のロータリ式流体機械である。圧縮機構（15）は、フロントヘッド（20）と、リアヘッド（25）と、駆動軸（70）とを、一つずつ備えている。
【００２３】
また、圧縮機構（15）は、シリンダ（30,35）と、ピストン（40,45）と、ブレード（41,46）とを二つずつ備えている。各シリンダ（30,35）には、対になった二つのブッシュ（42,47）が、一組ずつ設けられている。
【００２４】
また、圧縮機構（15）は、ミドルプレート（50）を備えている。詳しくは後述するが、本実施形態のミドルプレート（50）は、厚み方向に二分割された第１の分割プレート（60）及び第２の分割プレート（65）によって構成されている。
【００２５】
圧縮機構（15）では、下方から上方へ向かって順に、リアヘッド（25）と、リアシリンダ（35）と、ミドルプレート（50）と、フロントシリンダ（30）と、フロントヘッド（20）とが重なり合った状態で配置されている。
【００２６】
リアヘッド（25）と、リアシリンダ（35）と、ミドルプレート（50）と、フロントシリンダ（30）と、フロントヘッド（20）とは、図示しない複数本のボルトによって互いに締結されている。また、圧縮機構（15）のフロントヘッド（20）が、ケーシング（2）の胴部（3）に固定されている。
【００２７】
〈フロントシリンダ、リアシリンダ〉
図２及び図３にも示すように、各シリンダ（30,35）は、厚肉円板状の部材である。各シリンダ（30,35）には、シリンダボア（31,36）と、ブレード収容孔（32,37）と、吸入ポート（33,38）とが形成される。
【００２８】
各シリンダ（30,35）には、圧縮機構（15）の組み立て用のボルトを挿し通すための複数の貫通孔（30a,35a）が、各シリンダ（30,35）を厚さ方向に貫通して形成される。
【００２９】
シリンダボア（31,36）は、シリンダ（30,35）を厚さ方向に貫通する円形孔であって、シリンダ（30,35）の中央部に形成される。フロントシリンダ（30）のシリンダボア（31）には、フロントピストン（40）が収容される。リアシリンダ（35）のシリンダボア（36）には、リアピストン（45）が収容される。
【００３０】
ブレード収容孔（32,37）は、シリンダ（30,35）の内周面（即ち、シリンダボア（31,36）の壁面）からシリンダ（30,35）の径方向の外側へ向かって延びる孔である。ブレード収容孔（32,37）は、シリンダ（30,35）を厚さ方向に貫通する。
【００３１】
フロントシリンダ（30）のブレード収容孔（32）には、フロントブレード（41）が収容される。リアシリンダ（35）のブレード収容孔（37）には、リアブレード（46）が収容される。ブレード収容孔（32,37）は、その壁面が揺動するブレード（41,46）と干渉しないような形状となっている。
【００３２】
吸入ポート（33,38）は、シリンダボア（31,36）の壁面からシリンダ（30,35）の径方向の外側へ向かって延びる断面が円形の孔である。吸入ポート（33,38）は、ブレード収容孔（32,37）の近傍（本実施形態では、図２及び図３におけるブレード収容孔（32,37）の右隣）に配置され、シリンダ（30,35）の外側面に開口している。フロントシリンダ（30）の吸入ポート（33）には上側の吸入管（7）が挿入され、リアシリンダ（35）の吸入ポート（38）には下側の吸入管（8）が挿入される（図１を参照）。
【００３３】
〈フロントヘッド〉
フロントヘッド（20）は、フロントシリンダ（30）の電動機（10）側の端面（図１における上端面）を閉塞する部材である。フロントヘッド（20）は、本体部（21）と、主軸受部（22）と、外周壁部（23）とを備えている。
【００３４】
本体部（21）は、概ね円形の厚板状に形成されている。本体部（21）は、フロントシリンダ（30）の端面を覆うように配置される。本体部（21）の下面は、フロントシリンダ（30）に密着している。
【００３５】
主軸受部（22）は、本体部（21）から電動機（10）側（図１における上側）へ延びる円筒状に形成され、本体部（21）の中央部に配置される。主軸受部（22）は、圧縮機構（15）の駆動軸（70）を支持するジャーナル軸受を構成する。外周壁部（23）は、本体部（21）の外周縁部に連続して形成された肉厚の環状の部分である。
【００３６】
フロントヘッド（20）には、吐出ポート（24）が形成されている。吐出ポート（24）は、フロントヘッド（20）の本体部（21）を、その厚さ方向に貫通する。図２に示すように、フロントヘッド（20）の本体部（21）の前面（フロントシリンダ（30）と接する面）において、吐出ポート（24）は、フロントシリンダ（30）のブレード収容孔（32）の吸入ポート（33）とは逆側の近傍（本実施形態では、図２におけるブレード収容孔（32）の左隣）に開口する。また、図示しないが、フロントヘッド（20）の本体部（21）には、吐出ポート（24）を開閉するための吐出弁が取り付けられる。
【００３７】
〈リアヘッド〉
リアヘッド（25）は、リアシリンダ（35）の電動機（10）とは逆側の端面（図１における下端面）を閉塞する部材である。リアヘッド（25）は、本体部（26）と、副軸受部（27）と、外周壁部（28）とを備えている。
【００３８】
本体部（26）は、概ね円形の厚板状に形成されている。本体部（26）は、リアシリンダ（35）の端面を覆うように配置される。本体部（26）の上面は、リアシリンダ（35）に密着している。
【００３９】
副軸受部（27）は、本体部（26）からリアシリンダ（35）とは逆側（図１における下側）へ延びる円筒状に形成され、本体部（26）の中央部に配置される。副軸受部（27）は、圧縮機構（15）の駆動軸（70）を支持するジャーナル軸受を構成する。外周壁部（28）は、本体部（26）の外周縁部からリアシリンダ（35）とは逆側へ延びる円筒状に形成されている。
【００４０】
リアヘッド（25）には、吐出ポート（29）が形成されている。吐出ポート（29）は、リアヘッド（25）の本体部（26）を、その厚さ方向に貫通する。図３に示すように、リアヘッド（25）の本体部（26）の前面（リアシリンダ（35）と接する面）において、吐出ポート（29）は、リアシリンダ（35）のブレード収容孔（37）の吸入ポート（38）とは逆側の近傍（本実施形態では、図３におけるブレード収容孔（37）の左隣）に開口する。また、図示しないが、リアヘッド（25）の本体部（26）には、吐出ポート（29）を開閉するための吐出弁が取り付けられる。
【００４１】
〈ミドルプレート〉
図４に示すように、ミドルプレート（50）は、厚み方向に二分割された第１の分割プレート（60）及び第２の分割プレート（65）を、それぞれの分割面が互いに接するように重ね合わせることによって構成されている。
【００４２】
第１の分割プレート（60）と第２の分割プレート（65）は、概ね円形の平板状の部材である。第１の分割プレート（60）と第２の分割プレート（65）のそれぞれは、一部分が径方向の外側へ突出している。
【００４３】
各分割プレート（60,65）には、圧縮機構（15）の組み立て用のボルトを挿し通すための、各分割プレート（60,65）を厚さ方向に貫通する複数の貫通孔（62,67）が形成される。
【００４４】
図１にも示すように、第１の分割プレート（60）は、フロントシリンダ（30）側に配置され、フロントシリンダ（30）の下面を覆っている。第１の分割プレート（60）の上面は、フロントシリンダ（30）に密着している。
【００４５】
第２の分割プレート（65）は、リアシリンダ（35）側に配置され、リアシリンダ（35）の上面を覆っている。第２の分割プレート（65）の下面は、リアシリンダ（35）に密着している。第１の分割プレート（60）と第２の分割プレート（65）は、互いの分割面が密着している。
【００４６】
第１の分割プレート（60）の中央部には、第１の分割プレート（60）を厚さ方向へ貫通する第１中央貫通孔（61）が形成されている。第２の分割プレート（65）の中央部には、第２の分割プレート（65）を厚さ方向へ貫通する第２中央貫通孔（66）が形成されている。第１の分割プレート（60）の第１中央貫通孔（61）と、第２の分割プレート（65）の第２中央貫通孔（66）とは、ミドルプレート（50）の中央孔（51）を構成する。ミドルプレート（50）の中央孔（51）には、駆動軸（70）が挿通される。
【００４７】
図４及び図５に示すように、第２の分割プレート（65）の上面（第１の分割プレート（60）との分割面）には、その一部が窪んだ凹部（68）が形成されている。凹部（68）は、第２中央貫通孔（66）に沿って全周にわたって形成された円環状の溝で構成されている。
【００４８】
そして、第１の分割プレート（60）と第２の分割プレート（65）の分割面同士を重ね合わせることで、ミドルプレート（50）の内部には、凹部（68）によって形成された閉じた空間が設けられる。この空間は、フロントシリンダ（30）及びリアシリンダ（35）の一方の圧縮室（34,39）からミドルプレート（50）を介して他方の圧縮室（34,39）に伝達される熱を遮断するための断熱空間として機能する。
【００４９】
このように、ミドルプレート（50）を第１の分割プレート（60）と第２の分割プレート（65）に分割した構成とすることで、その分割面に、エンドミル等を用いて凹部（68）を容易に形成することができる。つまり、ミドルプレート（50）の内部に断熱空間を設けるという、１枚のミドルプレート（50）の場合には困難であった加工を容易に行うことができる。
【００５０】
また、フロントシリンダ（30）及びリアシリンダ（35）の一方の圧縮室（34,39）からミドルプレート（50）を介して他方の圧縮室（34,39）に伝達される熱を、ミドルプレート（50）の内部の凹部（68）で断熱して減らすことができ、吸入側の冷媒が加熱されるのを抑えて圧縮効率の向上を図ることができる。
【００５１】
また、凹部（68）は、軸方向から見て、フロントシリンダ（30）やリアシリンダ（35）の圧縮室（34,39）全体に重なり合うような大きさで形成されている。これにより、フロントシリンダ（30）とリアシリンダ（35）との間で行われる熱の伝達を、より効果的に抑えることができる。
【００５２】
〈駆動軸〉
図１に示すように、駆動軸（70）は、主軸部（72）と、上側偏心部（75）と、中間連結部（80）と、下側偏心部（76）と、下側連結部（90）と、副軸部（74）とを備えている。
【００５３】
駆動軸（70）では、主軸部（72）と、上側偏心部（75）と、中間連結部（80）と、下側偏心部（76）と、下側連結部（90）と、副軸部（74）とが、上から下へ向かって順に配置され、互いに一体に形成されている。
【００５４】
主軸部（72）は、円形断面の柱状の部分である。主軸部（72）の上部には、電動機（10）の回転子（12）が取り付けられる。主軸部（72）の下部は、フロントヘッド（20）の主軸受部（22）によって支持されるジャーナルを構成する。
【００５５】
各偏心部（75,76）は、主軸部（72）よりも大径の円柱状の部分である。各偏心部（75,76）は、それぞれの中心軸が駆動軸（70）の回転中心軸に対して偏心している。上側偏心部（75）は、駆動軸（70）の回転中心軸に対して、下側偏心部（76）とは反対側へ偏心している。
【００５６】
中間連結部（80）は、上側偏心部（75）と下側偏心部（76）の間に配置され、上側偏心部（75）と下側偏心部（76）を連結する。下側連結部（90）は、下側偏心部（76）と副軸部（74）の間に配置され、下側偏心部（76）と副軸部（74）を連結する。
【００５７】
副軸部（74）は、円形断面の柱状の部分である。副軸部（74）は、リアヘッド（25）の副軸受部（27）によって支持されるジャーナルを構成する。
【００５８】
駆動軸（70）には、給油通路（71）が形成されている。ケーシング（2）の底部に溜まった潤滑油は、給油通路（71）を通って駆動軸（70）の軸受や圧縮機構（15）の摺動部分へ供給される。
【００５９】
〈フロントピストン、リアピストン〉
図２に示すように、フロントピストン（40）は、やや厚肉の円筒状の部材である。フロントピストン（40）には、駆動軸（70）の上側偏心部（75）が回転自在に嵌り込む。フロントピストン（40）は、外周面がフロントシリンダ（30）の内周面（即ち、シリンダボア（31）の壁面）と摺接し、一方の端面がフロントヘッド（20）の本体部（21）の前面と摺接し、他方の端面がミドルプレート（50）の第１の分割プレート（60）の前面と摺接する。圧縮機構（15）では、フロントピストン（40）の外周面とフロントシリンダ（30）の内周面との間に圧縮室（34）が形成される。
【００６０】
図３に示すように、リアピストン（45）は、やや厚肉の円筒状の部材である。リアピストン（45）には、駆動軸（70）の下側偏心部（76）が回転自在に嵌り込む。リアピストン（45）は、外周面がリアシリンダ（35）の内周面（即ち、シリンダボア（36）の壁面）と摺接し、一方の端面がリアヘッド（25）の本体部（21）の前面と摺接し、他方の端面がミドルプレート（50）の第２の分割プレート（65）の前面と摺接する。圧縮機構（15）では、リアピストン（45）の外周面とリアシリンダ（35）の内周面との間に圧縮室（39）が形成される。
【００６１】
〈フロントブレード、リアブレード〉
ブレード（41,46）は、矩形平板状の部材である。フロントブレード（41）はフロントピストン（40）と一体に形成され、リアブレード（46）はリアピストン（45）と一体に形成される。各ブレード（41,46）は、対応するピストン（40,45）の外側面から、ピストン（40,45）の径方向の外側へ向かって突出している。
【００６２】
フロントピストン（40）と一体のフロントブレード（41）は、フロントシリンダ（30）のブレード収容孔（32）に嵌まる。フロントブレード（41）は、フロントシリンダ（30）内に形成された圧縮室（34）を、吸入ポート（33）側の低圧室と、吐出ポート（24）側の高圧室に仕切る。
【００６３】
リアピストン（45）と一体のリアブレード（46）は、リアシリンダ（35）のブレード収容孔（37）に嵌まる。リアブレード（46）は、リアシリンダ（35）内に形成された圧縮室（39）を、吸入ポート（38）側の低圧室と、吐出ポート（29）側の高圧室に仕切る。
【００６４】
〈ブッシュ〉
フロントシリンダ（30）とリアシリンダ（35）のそれぞれには、一対のブッシュ（42,47）が設けられる。各ブッシュ（42,47）は、前面が平坦面となり、背面が円弧面となった板状の部材である。
【００６５】
フロントシリンダ（30）に設けられた一対のブッシュ（42）は、フロントシリンダ（30）のブレード収容孔（32）に嵌まったフロントブレード（41）を、両側から挟み込むように配置される。フロントピストン（40）と一体のフロントブレード（41）は、このブッシュ（42）を介してフロントシリンダ（30）に揺動自在で且つ進退自在に支持される。
【００６６】
リアシリンダ（35）に設けられた一対のブッシュ（47）は、リアシリンダ（35）のブレード収容孔（37）に嵌まったリアブレード（46）を、両側から挟み込むように配置される。リアピストン（45）と一体のリアブレード（46）は、このブッシュ（47）を介してリアシリンダ（35）に揺動自在で且つ進退自在に支持される。
【００６７】
−運転動作−
ロータリ圧縮機（1）の運転動作について、図１〜図３を参照しながら説明する。
【００６８】
電動機（10）が駆動軸（70）を駆動すると、圧縮機構（15）の各ピストン（40,45）が駆動軸（70）によって駆動され、各シリンダ（30,35）内でピストン（40,45）が変位する。各シリンダ（30,35）では、ピストン（40,45）の変位に伴って、圧縮室（34,39）の高圧室と低圧室の容積が変化する。そして、各シリンダ（30,35）では、吸入ポート（33,38）から圧縮室（34,39）へ冷媒を吸入する吸入行程と、圧縮室（34,39）へ吸入した冷媒を圧縮する圧縮行程と、圧縮した冷媒を吐出ポート（24,29）から圧縮室（34,39）の外部へ吐出する吐出工程とが行われる。
【００６９】
フロントシリンダ（30）の圧縮室（34）において圧縮された冷媒は、フロントヘッド（20）の吐出ポート（24）を通ってフロントヘッド（20）の上方の空間へ吐出される。リアシリンダ（35）の圧縮室（39）において圧縮された冷媒は、リアヘッド（25）の吐出ポート（29）を通って圧縮室（39）から吐出され、圧縮機構（15）に形成された通路（図示省略）を通ってフロントヘッド（20）の上方の空間へ流入する。圧縮機構（15）からケーシング（2）の内部空間へ吐出された冷媒は、吐出管（6）を通ってケーシング（2）の外部へ流出してゆく。
【００７０】
ケーシング（2）の底部には、潤滑油が貯留されている。この潤滑油は、駆動軸（70）に形成された給油通路（71）を通って圧縮機構（15）へ供給され、圧縮機構（15）の摺動箇所へ供給される。具体的に、潤滑油は、主軸受部（22）及び副軸受部（27）と駆動軸（70）の間、偏心部（75,76）の外周面とピストン（40,45）の内周面の間などへ供給される。また、潤滑油の一部は、圧縮室（34,39）へ流入し、圧縮室（34,39）の気密性を高めるために利用される。
【００７１】
ケーシング（2）の内部空間の圧力は、圧縮機構（15）から吐出された高圧冷媒の圧力と実質的に等しい。このため、ケーシング（2）内に貯留された潤滑油の圧力も、圧縮機構（15）から吐出された高圧冷媒の圧力と実質的に等しい。従って、圧縮機構（15）には、高圧の潤滑油が供給される。
【００７２】
圧縮機構（15）の摺動箇所へ供給された潤滑油は、その一部がミドルプレート（50）の中央孔（51）へ流入する。この中央孔（51）には、主に、上側偏心部（75）の外周面とフロントピストン（40）の内周面の間へ供給された潤滑油の一部が流入する。このため、ミドルプレート（50）の中央孔（51）の壁面と駆動軸（70）の中間連結部（80）の外面とに挟まれた空間は、高圧の潤滑油で満たされた状態となる。駆動軸（70）の中間連結部（80）は、潤滑油で満たされたミドルプレート（50）の中央孔（51）において回転する。
【００７３】
《その他の実施形態》
前記実施形態については、以下のような構成としてもよい。
【００７４】
本実施形態では、第２の分割プレート（65）の分割面に凹部（68）を形成するようにしたが、この形態に限定するものではない。例えば、第１の分割プレート（60）の分割面に凹部（68）を形成してもよい。
【００７５】
また、図６に示すように、第１の分割プレート（60）の分割面に凹部（68）を形成するとともに、第２の分割プレート（65）の分割面に、第１の分割プレート（60）の凹部（68）に対向する凹部（68）を形成するようにしてもよい。この場合には、２つの凹部（68）によって区画される断熱空間の容積が大きくなるので、断熱効果をより高めることができる。
【００７６】
また、本実施形態では、凹部（68）を、ミドルプレート（50）の中央孔（51）に沿って全周にわたって形成された円環状の溝で構成した形態について説明したが、例えば、凹部（68）を、軸方向から見て、フロントシリンダ（30）やリアシリンダ（35）の圧縮室（34,39）の吸入側にのみ重なり合うような円弧状の溝で構成してもよい。これによっても、吸入側の冷媒が加熱されるのを抑えることができる。
【００７７】
また、本実施形態では、厚さ方向に二分割した第１の分割プレート（60）と第２の分割プレート（65）によってミドルプレート（50）を構成するようにしたが、第１の分割プレート（60）と第２の分割プレート（65）との厚さが異なっていてもよい。
【００７８】
また、本実施形態では、ミドルプレート（50）が三枚以上の分割プレートによって構成されていてもよい。
【００７９】
また、本実施形態のミドルプレート（50）は、ブレードがピストンと一体に形成された揺動ピストン型のロータリ圧縮機だけでなく、ブレードがピストンと別体に形成されたローリングピストン型のロータリ圧縮機に適用することも可能である。
【産業上の利用可能性】
【００８０】
以上説明したように、本発明は、フロントシリンダとリアシリンダとの間で、ミドルプレートを介して熱が伝達されるのを抑えることができるという実用性の高い効果が得られることから、きわめて有用で産業上の利用可能性は高い。
【符号の説明】
【００８１】
1    ロータリ圧縮機（回転式圧縮機）
15    圧縮機構
20    フロントヘッド
25    リアヘッド
30    フロントシリンダ
34    圧縮室
35    リアシリンダ
39    圧縮室
40    フロントピストン
45    リアピストン
50    ミドルプレート
51    中央孔
60    第１の分割プレート
65    第２の分割プレート
68    凹部
70    駆動軸
【図１】
2019011748.tif 000003
【図２】
2019011748.tif 000004
【図３】
2019011748.tif 000005
【図４】
2019011748.tif 000006
【図５】
2019011748.tif 000007
【図６】
2019011748.tif 000008